【事件の表示】
　特願２００８−　６０３１４「入出力インタフェース装置を用いたシステム」拒絶査定不服審判事件〔平成２０年　８月２１日出願公開、特開２００８−１９２１６６〕について、次のとおり審決する。
【結　論】
　本件審判の請求は、成り立たない。
【理　由】
第１．手続の経緯
　本願は、平成３年４月３０日を出願日とする特願平３−１２４６３５号の一部を平成１２年１月２６日に特願２０００−１６６３８号として新たな特許出願とし、さらに、その一部を平成１４年３月１５日に特願２００２−７１３４７号として新たな特許出願とし、さらに、その一部を平成１４年４月１５日に特願２００２−１１２００４号として新たな特許出願とし、さらに、その一部を平成１８年２月１７日に特願２００６−４０４３３号として新たな特許出願とし、さらに、その一部を平成１８年７月３１日に特願２００６−２０８１２５号として新たな特許出願とし、さらに、その一部を平成１９年５月２８日に特願２００７−１４１１６４号として新たな特許出願とし、さらに、その一部を平成２０年３月１０日に特願２００８−６０３１４号として新たな特許出願としたものであって、平成２２年２月２２日付けで拒絶査定がなされ、これに対して平成２２年６月１日に拒絶査定不服審判が請求されるとともに、同日付けで手続補正がなされたものである。
　　　　
　　　　　
第２．本願発明
　本願の請求項１に係る発明（以下、「本願発明」という。）は、平成２２年６月１日付け手続補正書の特許請求の範囲の請求項１に記載された、次の事項により特定されるものである。
　　
「【請求項１】
　ＩＣカード又はＩＣメモリカードが挿入されるカード挿入用スロットを有する第１の装置と、第３の装置との間のデータの送受信を行うため、前記第１の装置と前記第３の装置を接続するためのシステムであって、
　当該システムは、前記第１の装置のカード挿入用スロットに挿入される入出力インタフェース装置と、前記第３の装置を接続する第２の装置とで構成され、
　前記入出力インタフェース装置は、少なくとも前記第１の装置のカード挿入用スロットに挿入される部分がＩＣカード又はＩＣメモリカードと同様にその外形をカード型とし、前記第１の装置の前記カード挿入用スロットに挿入される一端に前記第１の装置との間でデータの送受信を行う第１の接続部を備え、他端に前記第２の装置との間で無線によりデータの送受信を行う第１のアンテナを備え、前記第１の接続部から受け取ったデータを無線信号に変調して前記第１のアンテナに受け渡し、また前記第１のアンテナから受信した無線信号を復調して前記第１の接続部へデータを出力する第１の無線送受信部とを備えて構成し、
　前記第２の装置は、前記入出力インタフェース装置との間で無線によりデータの送受信を行う第２のアンテナと、前記第１の装置に前記第３の装置を直接接続する代わりに前記第３の装置を接続するために設けられた少なくともＲＳ−２３２Ｃを含む標準インタフェースによるコネクタと、前記第２のアンテナから受信した無線信号を復調して該復調したデータを前記コネクタに出力し、また前記コネクタから受け取ったデータを無線信号に変調して前記第２のアンテナに受け渡す第２の無線送受信部とを備えて構成し、
　前記第１の装置と前記第３の装置との間のデータの送受信を行うために、前記入出力インタフェース装置が前記第１の装置のカード挿入用スロットに挿入された状態で、該入出力インタフェース装置が前記第１の装置との間でデータの送受信を行うとともに、該入出力インタフェース装置が前記第３の装置を接続する前記第２の装置との間で前記アンテナを介して無線によりデータの送受信を行う
　ことを特徴とするシステム。」
　　　
　　　
第３．引用発明
　原査定の拒絶の理由に引用された刊行物１（実願昭６３−８５８７０号（実開平２−８２５１号）のマイクロフィルム）には、図面とともに、以下の事項が記載されている。
　　　
　　　　　
（ａ）第３頁第１４行−第５頁第１４行
「　図面において、１はモデム本体である。このモデム本体の内部には、第１図に示すように、送受信回路３、モデム回路４、読み出し・書き込み回路５、およびバッファ回路６が内蔵されており、また側壁上部には、伸縮自在なアンテナ２がとりつけてある。
　７はコネクタであり、モデム本体１の端部に直接取り付けられている。一方、コンピュータ８，９，１０およびプリンタ１１には、このコネクタ７の係合するコネクタが（図示せず）がそれぞれ設けてある。
　次に、このような構成からなるワイヤレスモデムの作用について説明する。
　コンピュータ８から伝達されてきた情報信号は、アンテナ２を介しモデム本体１の内部に送られる。アンテナ２で受信された情報信号は、送受信回路３に入力され、モデム回路４へ送られる。モデム回路４は入力した情報信号を復調する。 復調された情報信号は、読み出し・書き込み回路５へ送られる。６はバッファ回路で、送られてきた情報信号を一時的に記憶する。この記憶された情報信号は、読み出し・書き込み回路５の指示にしたがって順次バッファ回路から呼び出され、コネクタ７を介してプリンタ１１へ送出される。　
　このように送られてきた情報をバッファ回路６に一時記憶することにより、情報伝達が短時間で行なえ、かつ記憶した情報をプリンタ１１に出力している間であっても、コンピュータ８以外の他のコンピュータ９，１０からの情報を入力することができる。
　また、本実施例のワイヤレスモデムは、通常のパソコンやプリンタに対して、コネクタ７を用いた接続工事を行なうだけで簡単に組み込むことができる。
　したがって、例えば、ラップトップ型パソコン等に組み込むことにより、機能性の向上を図ることができる。」　　
　　　　　
　したがって、刊行物１には次の発明（以下、「引用発明」という。）が記載されていると認められる。
　　　　　
「内部に、送受信回路３、モデム回路４、読み出し・書き込み回路５、およびバッファ回路６が内蔵されており、また側壁上部には、伸縮自在なアンテナ２がとりつけてあり、また端部にコネクタ７が直接取り付けられているモデム本体１であって、
　一方、コンピュータ８，９，１０およびプリンタ１１には、このコネクタ７の係合するコネクタ（図示せず）がそれぞれ設けてあり、
　コンピュータ８から伝達されてきた情報信号は、アンテナ２を介しモデム本体１の内部に送られ、アンテナ２で受信された情報信号は、送受信回路３に入力され、モデム回路４へ送られ、モデム回路４は入力した情報信号を復調し、該復調された情報信号は、読み出し・書き込み回路５へ送られ、送られてきた情報信号をバッファ回路６に一時的に記憶し、この記憶された情報信号は、読み出し・書き込み回路５の指示にしたがって順次バッファ回路から呼び出され、コネクタ７を介してプリンタ１１へ送出され、
　このように送られてきた情報をバッファ回路６に一時記憶することにより、情報伝達が短時間で行なえ、かつ記憶した情報をプリンタ１１に出力している間であっても、コンピュータ８以外の他のコンピュータ９，１０からの情報を入力することができ、
　また、このモデムは、通常のパソコンやプリンタに対して、コネクタ７を用いた接続工事を行なうだけで簡単に組み込むことができ、したがって、例えば、ラップトップ型パソコン等に組み込むことにより、機能性の向上を図ることができる
　コンピュータ８に組み込まれたモデム本体１とプリンタ１１に組み込まれたモデム本体１から成るシステム。」
　　　　　　
　　　　　　
第４．本願発明と引用発明との一致点・相違点
　　　　
　引用発明では、コンピュータ８とプリンタ１１のそれぞれにモデム本体１が組み込まれている。したがって、それら二つのモデム本体１を区別するために、以後、「コンピュータ８に組み込まれているモデム本体１」を「モデム本体１Ａ」と呼ぶことし、「プリンタ１１に組み込まれているモデム本体１」を「モデム本体１Ｂ」と呼ぶことにする。
　　　　　　　　　　　
　引用発明においては、コンピュータ８からの情報信号は、モデム本体１Ａ内の送受信回路３及びモデム本体１Ｂ内の送受信回路３を経て、プリンタ１１へ送出される。したがって、引用発明のコンピュータ８、プリンタ１１が、それぞれ、本願発明の「第１の装置」、「第３の装置」に相当し、引用発明のモデム本体１Ａ及びモデム本体１Ｂから成るシステムが、本願発明の「第１の装置と、第３の装置との間のデータの送受信を行うため、前記第１の装置と前記第３の装置を接続するためのシステム」に相当する。
　　　　
　引用発明において、コンピュータ８にはコネクタ（図示せず）が設けてあり、モデム本体１Ａのコネクタ７をコンピュータ８のコネクタ（図示せず）に係合させることにより、コンピュータ８にモデム本体１Ａが接続される。したがって、引用発明のモデム本体１Ａは、本願発明の「前記第１の装置のカード挿入用スロットに挿入される入出力インタフェース装置」と、「第１の装置に接続される入出力インタフェース装置」である点で一致している。
　引用発明において、プリンタ１１にもコネクタ（図示せず）が設けてあり、モデム本体１Ｂのコネクタ７をプリンタ１１のコネクタ（図示せず）に係合させることにより、プリンタ１１にモデム本体１Ｂが接続される。したがって、引用発明のモデム本体１Ｂは、本願発明の「前記第３の装置を接続する第２の装置」に相当する。　　
　　　　　
　引用発明のモデム本体１Ａのコネクタ７は、本願発明の「前記第１の装置との間でデータの送受信を行う第１の接続部」に相当する。引用発明のモデム本体１Ａのアンテナ２は、本願発明の「前記第２の装置との間で無線によりデータの送受信を行う第１のアンテナ」に相当する。
　引用発明では、側壁上部に伸縮自在なアンテナ２がとりつけてあり、また端部にコネクタ７が直接取り付けられているから、引用発明のモデム本体１Ａは、本願発明の入出力インタフェース装置と、「一端に前記第１の装置との間でデータの送受信を行う第１の接続部を備え、他端に前記第２の装置との間で無線によりデータの送受信を行う第１のアンテナを備え」ている点で一致している。
　　　
　引用発明のモデム回路は、「Ｍｏｄｕｒａｔｉｏｎ−Ｄｅｍｏｄｕｒａｔｉｏｎ　Ｃｉｒｃｕｉｔ」の略であり、「変復調回路」の意味である。したがって、引用発明のモデム本体１Ａのモデム回路４は、コンピュータ８からの情報信号を変調する機能と、アンテナ２で受信した無線信号を復調する機能を有している。したがって、引用発明のモデム本体１Ａの送受信回路３及びモデム回路４は、本願発明の「前記第１の接続部から受け取ったデータを無線信号に変調して前記第１のアンテナに受け渡し、また前記第１のアンテナから受信した無線信号を復調して前記第１の接続部へデータを出力する第１の無線送受信部」に相当する。　
　　　
　引用発明のモデム本体１Ｂのアンテナ２は、本願発明の「前記入出力インタフェース装置との間で無線によりデータの送受信を行う第２のアンテナ」に相当する。
　　　　　　　
　コネクタは、該コネクタと係合するコネクタと、オス型・メス型の関係にあることは周知である。したがって、引用発明の「コネクタ７」と「係合するコネクタ（図示せず）」とは、オス型・メス型の関係にあることは明らかである。以後、「コネクタ７」を「コネクタＡ」で表し、「係合するコネクタ（図示せず）」を「コネクタａ」で表すことにする。
　そうすると、プリンタ１１に設けられている、係合するコネクタ（図示せず）が、コネクタａであることは明らかである。仮に、プリンタ１１をコンピュータ８に直接接続することを考えれば、コンピュータ８側に設けられるコネクタが、プリンタ１１に設けられているコネクタａとオス型・メス型の関係にあるコネクタＡとなることは明らかである。そうすると、引用発明では、モデム本体１Ｂ内のコネクタがコネクタＡであるために、プリンタ１１をコンピュータ８に直接接続する場合でも、プリンタ１１をモデム本体１Ｂを介してコンピュータ８に接続する場合でも、プリンタ１１側のコネクタはコネクタａのままで良いということになる。　
　したがって、モデム本体１Ｂ内のコネクタＡは、プリンタ１１をコンピュータ８に直接接続する代わりに、プリンタ１１を接続するために設けられたコネクタであるといえる。よって、引用発明のモデム本体１Ｂ内のコネクタＡは、本願発明のコネクタと、「前記第１の装置に前記第３の装置を直接接続する代わりに前記第３の装置を接続するために設けられたコネクタ」である点で一致している。
　　　　　　　　
　上記モデム本体１Ａと第１の無線送受信部の関係についての理由と同様の理由により、引用発明のモデム本体１Ｂの送受信回路３及びモデム回路４は、本願発明の「前記第２のアンテナから受信した無線信号を復調して該復調したデータを前記コネクタに出力し、また前記コネクタから受け取ったデータを無線信号に変調して前記第２のアンテナに受け渡す第２の無線送受信部」に相当する。　
　　　　　　　　
　引用発明と本願発明とは、「前記第１の装置と前記第３の装置との間のデータの送受信を行うために、該入出力インタフェース装置が前記第１の装置との間でデータの送受信を行うとともに、該入出力インタフェース装置が前記第３の装置を接続する前記第２の装置との間で前記アンテナを介して無線によりデータの送受信を行う」点で一致している。
　　　　　　　　
　したがって、本願発明と引用発明の一致点・相違点は、次のとおりである。
　　　
［一致点］
「　第１の装置と、第３の装置との間のデータの送受信を行うため、前記第１の装置と前記第３の装置を接続するためのシステムであって、
　当該システムは、前記第１の装置に接続される入出力インタフェース装置と、前記第３の装置を接続する第２の装置とで構成され、
　前記入出力インタフェース装置は、一端に前記第１の装置との間でデータの送受信を行う第１の接続部を備え、他端に前記第２の装置との間で無線によりデータの送受信を行う第１のアンテナを備え、前記第１の接続部から受け取ったデータを無線信号に変調して前記第１のアンテナに受け渡し、また前記第１のアンテナから受信した無線信号を復調して前記第１の接続部へデータを出力する第１の無線送受信部とを備えて構成し、
　前記第２の装置は、前記入出力インタフェース装置との間で無線によりデータの送受信を行う第２のアンテナと、前記第１の装置に前記第３の装置を直接接続する代わりに前記第３の装置を接続するために設けられたコネクタと、前記第２のアンテナから受信した無線信号を復調して該復調したデータを前記コネクタに出力し、また前記コネクタから受け取ったデータを無線信号に変調して前記第２のアンテナに受け渡す第２の無線送受信部とを備えて構成し、
　前記第１の装置と前記第３の装置との間のデータの送受信を行うために、該入出力インタフェース装置が前記第１の装置との間でデータの送受信を行うとともに、該入出力インタフェース装置が前記第３の装置を接続する前記第２の装置との間で前記アンテナを介して無線によりデータの送受信を行う
　ことを特徴とするシステム。」
　　　　　　　
［相違点１］
　本願発明では、第１の装置がＩＣカード又はＩＣメモリカードが挿入されるカード挿入用スロットを有し、入出力インタフェース装置が前記第１の装置のカード挿入用スロットに挿入され、前記入出力インタフェース装置は、少なくとも前記第１の装置のカード挿入用スロットに挿入される部分がＩＣカード又はＩＣメモリカードと同様にその外形をカード型とし、第１の接続部が備えられている一端が、前記第１の装置の前記カード挿入用スロットに挿入される一端であり、前記入出力インタフェース装置が前記第１の装置のカード挿入用スロットに挿入された状態で使用されるのに対して、引用発明では、コンピュータ８のコネクタ（図示せず）が、ＩＣカード又はＩＣメモリカードが挿入されるカード挿入用スロットであるという記載はなく、また、モデム本体１Ａがカード挿入用スロットに挿入されて使用されるという記載もなく、また、モデム本体１Ａの挿入される部分がＩＣカード又はＩＣメモリカードと同様にその外形をカード型とするという記載もなく、また、モデム本体１Ａのコネクタ７が、カード挿入用スロットに挿入される一端であるという記載もない点。
　　　　　　　　　　
［相違点２］
　本願発明では、コネクタが少なくともＲＳ−２３２Ｃを含む標準インタフェースによるコネクタであるのに対して、引用発明では、モデム本体１Ｂのコネクタ７が、ＲＳ−２３２Ｃを含む標準インタフェースによるものであるという記載がない点。
　　　　　
　　　　　　
第５．相違点についての検討
　　　　
［相違点１について］
　原査定の拒絶の理由に引用された刊行物２（特開昭６４−８４９２号公報）には、以下の事項が記載されている。
　　　　　　
（イ）第２頁左上欄第９行−右上欄第２行
「（産業上の利用分野）
　本発明は、電子回路内蔵カードを差し替えることによって、異なったハード構成の電子装置を実現することが可能な携帯形電子装置に関する。
（従来の技術）
　プラスチック・カードに半導体集積回路等を埋め込むことによって所定の機能を付与した、いわゆるＩＣカードには、例えばクレジットカードを始めとして種々の目的・機能のものがある。簡単な構成のＩＣカードには単に半導体メモリを内蔵しただけのものもあるが、より高度の機能を持たせたＩＣカードには、情報入力用の複数個のキーおよび小形ながら液晶表示装置を備えたものもある。」
　　　　　　　　　
（ロ）第２頁右下欄第１８行−第３頁左上欄第１０行
「第１図は、本発明の一構成を示す外観図である。同図に示したように、本発明の携帯形電子装置１は、複数種類の電子回路内蔵カード３（一例として２種類の電子回路内蔵カード３１及び電子回路内蔵カード３２を示した。）を挿抜する装着部であるカード挿抜スリット６と、情報を入力するためのキーボード４と、この情報を表示する表示装置５とから構成されている。またカード挿抜スリット６内には、電子回路内蔵カード３内の回路と、携帯形電子装置１内の回路を電気的に接続するレセプタクル７を備え、これに対応して、電子回路内蔵カード３には接点８が備えられている。」
　　　　　　　　　　　　
（ハ）第５頁左上欄第７行−右上欄第９行
「次に第４の実施例について第５図を用いて説明する。電子回路内蔵カード３５が無線メッセージ送受信機となる場合である。まず、送信時の動作について説明する。電子回路内蔵カード３５を携帯形電子装置１に装着させる。メッセージを入力するために、キーボード操作を行い、制御回路４１を働かせ、表示装置５上に案内メッセージを出力させる。それに従って、相手の番号、及び送信しようとするメッセージをキーボード４により入力し、表示装置５上に表示させる。次に、キーボード４上の送信のキーを押すと、表示装置５に表示されたメッセージ等の情報は、インターフェース回路４２を経て送信機４３に取り込まれ、高周波信号に変換されたうえで、アンテナ送受切換器４４を送信状態に切り換えて、アンテナ４５から放射させる。この電波は、基地局で受信復調され、有線電話網を経由した後、基地局から別の周波数で再放射されて、受信者に届く。一方受信時にするには、アンテナ切換器４４を受信状態に切り換えて、アンテナ４５で受信した電波は、アンテナ切換器４４を介して受信機４６で復調される。この復調された信号は、受信メッセージとして、メモリ４７に記憶される。」
　　　　　　　
　上記摘記事項（ハ）には、送信機４３、受信機４６、アンテナ送受切換器４４、アンテナ４５を内蔵し、無線メッセージ送受信機となる電子回路内蔵カード３５について記載されている。他方上記摘記事項（イ）には、ＩＣカード及び半導体メモリを内蔵したＩＣカード、すなわちＩＣメモリカードについて記載されているから、摘記事項（ハ）の電子回路内蔵カード３５は、ＩＣカードまたはＩＣメモリカードの形状を有していると解するのが相当である。
　また、上記摘記事項（ロ）には、携帯形電子装置１に、電子回路内蔵カード３を挿抜する装着部であるカード挿抜スリット６を設け、このカード挿抜スリット６内には、電子回路内蔵カード３内の回路と、携帯形電子装置１内の回路を電気的に接続するレセプタクル７を備え、これに対応して、電子回路内蔵カード３には接点８が備えられていることが開示されている。摘記事項（イ）及び（ハ)から、電子回路内蔵カード３５は、ＩＣカードまたはＩＣメモリカードの形状を有していると解されるから、摘記事項（ロ）の電子回路内蔵カード３を挿抜する装着部であるカード挿抜スリット６は、ＩＣカードまたはＩＣメモリカードが挿抜されるスリットと解するのが相当である。
　　　　
　引用発明のコンピュータ８に接続されるモデム本体１Ａは、刊行物２の電子回路内蔵カード３５と同様に、コンピュータに装着した状態で無線でデータを送受信するためのものであるから、引用発明において、刊行物２のように、コンピュータ８の係合するコネクタ（図示せず）を、ＩＣカードまたはＩＣメモリカードが挿抜されるスリットに変更し、モデム本体１Ａの形状をＩＣカードまたはＩＣメモリカードの形状に変更し、コンピュータ８に設けられたスリットに、モデム本体１Ａを挿入して使用することは、当業者が容易に想到できたことである。
　このように構成した場合、摘記事項（ロ）の「またカード挿抜スリット６内には、電子回路内蔵カード３内の回路と、携帯形電子装置１内の回路を電気的に接続するレセプタクル７を備え、これに対応して、電子回路内蔵カード３には接点８が備えられている。」という記載から、スリットに挿入されるモデム本体１Ａの一端に、コンピュータ８との接続部が形成されることは、当然である。
　　　　　
［相違点２について］
　コネクタ類については標準のものにする方が汎用性が高くて好ましいということは、当業者にとって周知であるから、引用発明のモデム本体１Ｂのコネクタ７を、本願の原出願（特願平３−１２４６３５号）の出願時において既に標準的になっていたＲＳ−２３２Ｃを含む標準インターフェースによるものとすることは、当業者が容易に想到できたことである。　　　　　　　　　
　　　　　
　そして、本願発明の作用効果も、引用発明及び刊行物２に記載された発明から当業者が予測できる範囲のものである。
　したがって、本願発明は、引用発明及び刊行物２に記載された発明に基づいて、当業者が容易に発明をすることができたものである。
　　　
　　　
第６．むすび
　以上のとおり、本願の請求項１に係る発明は、刊行物１及び刊行物２に記載された発明に基づいて、当業者が容易に発明をすることができたものであるから、特許法第２９条第２項の規定により特許を受けることができない。
　したがって、本願のその余の請求項にかかる発明について検討するまでもなく、本願は拒絶されるべきものである。
　よって、結論のとおり審決する。